(57)【要約】【課題】  安全且つ低コストで施工することができ、且つ、スリーブ孔の内部に屋外側から雨水が浸入することをより確実に防止することができるスリーブ孔防水構造を提供する。【解決手段】スリーブ孔防水構造１は、建物の外壁を貫通する略円筒形状のスリーブ孔２と、前記スリーブ孔２の屋外側の開口を閉じる１次防水蓋５と、前記スリーブ孔２の内部に押し込まれる２次防水部６と、を備え、前記２次防水部６は、前記スリーブ孔２の内径よりも大径の略円柱状であり、周回り方向の全周に突条環１６が複数設けられる弾性体から成る本体部１３を有する。【選択図】図１
2017211044.tif 000002
【特許請求の範囲】
【請求項１】
建物の外壁を貫通する略円筒形状のスリーブ孔と、
前記スリーブ孔の屋外側の開口を閉じる１次防水蓋と、
前記スリーブ孔の内部に押し込まれる２次防水部と、
を備え、
前記２次防水部は、前記スリーブ孔の内径よりも大径の略円柱状であり、周回り方向の全周に突条環が複数設けられる弾性体から成る本体部を有することを特徴とするスリーブ孔防水構造。
【請求項２】
前記スリーブ孔は屋外側円筒部と、前記屋外側円筒部よりも屋内側に形成される１又は複数の屋内側円筒部とを、連結して形成されるものであり、
前記２次防水部は、前記本体部の外周に形成された少なくとも一部の前記突条環が、前記屋外側円筒部の内周面に圧接することを特徴とする請求項１に記載のスリーブ孔防水構造。
【請求項３】
前記２次防水部は、前記１次防水蓋の屋内側面に当接する当接部を有し、
前記屋外側円筒部の軸方向の長さは、前記当接部から前記本体部までの軸方向の長さよりも長いことを特徴とする請求項２に記載のスリーブ孔防水構造。
【請求項４】
前記２次防水部は、前記本体部の屋内側に前記本体部と同軸で、且つ前記本体部よりも小径の略円柱形状のつかみ部が形成されることを特徴とする請求項１から請求項３のいずれかに記載のスリーブ孔防水構造。
【請求項５】
前記２次防水部は、少なくとも前記本体部が断熱性を有することを特徴とする請求項１から請求項４のいずれかに記載のスリーブ孔防水構造。
【請求項６】
前記複数の突条環は、屋外側の突条環が屋内側の突条環に比べて径が小さく形成されていることを特徴とする請求項１から請求項５のいずれかに記載のスリーブ孔防水構造。
【発明の詳細な説明】
【技術分野】
【０００１】
本発明は、外壁を貫通するスリーブ孔の防水構造に関し、主に、空調設備の配管用のスリーブ孔の防水構造に関する。
【背景技術】
【０００２】
ビルや家屋等の建物に設けられるエアコン等の空調設備として、吸気口や噴出口が設けられた室内機と、熱交換機が設けられた室外機とが分離した空調設備が一般的である。そして、このような空調設備の室内機及び室外機は配管で接続するために、建物の外壁には配管を挿通させるため、建物の建築時に予めスリーブ孔が貫通している。
【０００３】
しかし、空調設備の未設置時には、配管が挿通されていない状態でスリーブ孔が放置されると、埃や雨水が建物内に侵入するおそれがある。そこで、空調設備の未設置時におけるスリーブ孔の屋外側の端部を塞ぐために、従来よりスリーブ孔閉塞用蓋が開示されている（例えば特許文献１、特許文献２参照）。
【先行技術文献】
【特許文献】
【０００４】
【特許文献１】特開２００９−２７０６７５号公報
【特許文献２】特開２００１−２０８２７６号公報
【発明の概要】
【発明が解決しようとする課題】
【０００５】
しかし、上述のようなスリーブ孔閉塞用蓋によりスリーブ孔の屋外側の端部を塞いだとしても、スリーブ孔の屋外側の端部とスリーブ孔閉塞用蓋との間の防水パッキンが、例えば経年劣化などによって十分に機能を発揮できなくなると、スリーブ孔の屋外側の端縁とスリーブ孔閉塞用蓋との間から雨水等がスリーブ孔内に浸入するおそれがある。雨水が浸入した場合には、スリーブ孔を伝って外壁内部や建物の屋内に雨水が浸入するので問題である。
【０００６】
このような問題に対応するためには、防水パッキンを交換し、又は、防水用コーキング剤でスリーブ孔の屋外側の端縁とスリーブ孔閉塞用蓋との間をコーキングするなどの防水処理が考えられる。
【０００７】
しかし、これらの防水処理を行う場合、屋外側からの作業となるので、スリーブ孔の位置が建物の１階の場合でも脚立上で作業する必要があり、スリーブ孔の位置が建物の２階以上である場合には、足場又は梯子を設置して高所で作業する必要があり、防水処理のコストや作業負担が増大する問題がある。また、コーキング等の防水は、外観上見苦しく、配管等の撤去の際に手間取る問題もある。
【０００８】
そこで、本発明は、安全且つ低コストで施工することができ、且つ、スリーブ孔の内部に屋外側から雨水が浸入することをより確実に防止することができるスリーブ孔防水構造を提供することを目的とする。
【課題を解決するための手段】
【０００９】
本発明のスリーブ孔防水構造は、建物の外壁を貫通する略円筒形状のスリーブ孔と、前記スリーブ孔の屋外側の開口を閉じる１次防水蓋と、前記スリーブ孔の内部に押し込まれる２次防水部と、を備え、前記２次防水部は、前記スリーブ孔の内径よりも大径の略円柱状であり、周回り方向の全周に突条環が複数設けられる弾性体から成る本体部を有することを特徴としている。
【００１０】
また、本発明のスリーブ孔防水構造は、前記スリーブ孔は屋外側円筒部と、前記屋外側円筒部よりも屋内側に形成される１又は複数の屋内側円筒部とを、連結して形成されるものであり、前記２次防水部は、前記本体部の外周に形成された少なくとも一部の前記突条環が、前記屋外側円筒部の内周面に圧接することを特徴としている。
【００１１】
さらに、本発明のスリーブ孔防水構造は、前記２次防水部は、前記１次防水蓋の屋内側面に当接する当接部を有し、前記屋外側円筒部の軸方向の長さは、前記当接部から前記本体部までの軸方向の長さよりも長いことを特徴としている。
【００１２】
さらにまた、本発明のスリーブ孔防水構造は、前記２次防水部は、前記本体部の屋内側に前記本体部と同軸で、且つ前記本体部よりも小径の略円柱形状のつかみ部が形成されることを特徴としている。
【００１３】
また、本発明のスリーブ孔防水構造は、前記２次防水部は、少なくとも前記本体部が断熱性を有することを特徴としている。
【００１４】
さらに、本発明のスリーブ孔防水構造は、前記複数の突条環は、屋外側の突条環が屋内側の突条環に比べて径が小さく形成されていることを特徴としている。
【発明の効果】
【００１５】
本発明のスリーブ孔防水構造によると、一次防水蓋から、スリーブ孔内に雨水などの水が浸入することを気圧的に抑制するとともに、２次防水部によってスリーブ孔内に浸入した水もスリーブ孔の屋内側に浸入することを防止できるので、２重に防水することができ、雨水などの水が屋内に浸入することをより確実に防止することができる。そして、２次防水部は、スリーブ孔の内径よりも大径の略円柱状であり、周回り方向の全周に突条環が複数設けられる弾性体であるので、スリーブ孔の屋内側から挿入して簡単に施工することができ、スリーブ孔が高い位置に有る場合でも梯子や脚立を用いる必要もない。また、複数の突条環がそれぞれスリーブ孔の内周面と圧接して防水性を発揮するので、スリーブ孔内の防水性能をより確実なものにすることができる。
【００１６】
本発明のスリーブ孔防水構造によると、スリーブ孔が屋外側円筒部と、当該屋外側円筒部よりも屋内側に形成される１又は複数の屋内側円筒部とを、連結して形成されており、２次防水部は、本体部の外周に形成された少なくとも一部の突条環が、屋外側円筒部の内周面に圧接するので、屋外側円筒部と屋内側円筒部との継ぎ目に水が浸入することを確実に防止することができ、外壁内部に水が浸入することを防止することができる。
【００１７】
本発明のスリーブ孔防水構造によると、２次防水部をスリーブ孔の屋内側から挿入し、当該２次防水部の当接部が１次防水蓋の屋内側面に当接するところまで挿入することで、２次防水部の本体部全体が屋外側円筒部内に挿入されることになり、本体部の全ての突条環が、屋外側円筒部の内周面に圧接されることなり、屋外側円筒部で確実な防水を図ることができ、屋外側円筒部と屋内側円筒部との継ぎ目に水が浸入することをより確実に防止できる。
【００１８】
本発明のスリーブ孔防水構造によると、２次防水部の本体部の屋内側に当該本体部と同軸で、且つ本体部よりも小径の略円柱形状のつかみ部が形成されているので、このつかみ部をその軸がスリーブ孔の軸と重なるように把持することで、簡単にスリーブ孔に２次防水部を正しい姿勢で挿入することができ、設計どおりの防水性能を発揮することができる。
【００１９】
本発明のスリーブ孔防水構造によると、２次防水部の少なくとも本体部が断熱性を有しているので、スリーブ孔をエアコンなどに使用しないときの断熱性能を高めることができる。また、スリーブ孔及び１次防水蓋裏面の結露を防ぐことができる。
【００２０】
本発明のスリーブ孔防水構造によると、複数の突条環は、屋外側の突条環が屋内側の突条環に比べて径が小さく形成されているので、スリーブ孔に２次防水部をより簡単に挿入することができる。
【００２１】
なお、本発明の２次防水部は、配管をスリーブ孔に挿入して設置する場合には、用意に撤去することができる。
【図面の簡単な説明】
【００２２】
【図１】スリーブ孔防水構造の全体構成を示す断面図。
【図２】２次防水部の外観構成を示す斜視図。
【図３】２次防水部の形状を示す側面図。
【図４】スリーブ孔に２次防水部を挿入する状態を示す図。
【図５】２次防水部を挿入している途中を示す図。
【図６】２次防水部を挿入して完成させた状態を示す図。
【発明を実施するための形態】
【００２３】
以下、本発明に係るスリーブ孔防水構造１の最良の実施形態について各図を参照しつつ説明する。スリーブ孔防水構造１は、例えば、エアコン等の空調設備の室内機と室外機とを連通するために、建物外壁を貫通するように形成されたスリーブ孔２に設けられる防水構造である。なお、スリーブ孔２は、建物外壁を貫通するスリーブ孔２であって、当該スリーブ孔２を配管配線などの用途に利用しない期間、スリーブ孔２内を通って屋内側に水が浸入することを防ぐ必要があるものであれば、空調設備の配管用のものに限定されるものではない。また、本実施形態において、外壁は、建物の屋外面を構成する外装材３と、建物の屋内側の面を構成する内装材４と、図示しないが外装材３及び内装材４の間に配置される断熱材や軸組によって形成されている。外壁の構成は、これに限定されるものではなく、例えば鉄筋コンクリート製の外壁であっても良い。
【００２４】
スリーブ孔防水構造１は、図１に示すように、建物の外壁を貫通する略円筒形状のスリーブ孔２と、スリーブ孔２の屋外側の開口を閉じる１次防水蓋５と、スリーブ孔２の内部に押し込まれる２次防水部６と、屋内蓋７と、を備えている。
【００２５】
スリーブ孔２は、外装材３に固定される屋外側円筒部８と、屋外側円筒部８の屋内側に設けられる屋内側円筒部９と、屋内側円筒部９の屋内側に設けられ、内装材４に固定される内壁管１０と、をそれぞれ連通して形成されている。屋外側円筒部８の屋外側の開口にはフランジが形成されており、当該フランジは図示しないシーリング剤を介して外装材３の屋外側の面に水密的に固定されている。
【００２６】
屋外側円筒部８の外周面には、外装材３に挿通する部分にパッキング１１が固定されており、外装材３の貫通孔の内周面と屋外側円筒部８の外周面との間の隙間の水密性を保っている。屋外側円筒部８の屋外側の開口は１次防水蓋５により閉塞されている。１次防水蓋５は、円形の平板状であり、屋外側円筒部８にビス１２で固定されている。
【００２７】
屋内側円筒部９はその屋外側の端部が、屋外側円筒部８の屋外側の端部に外嵌されて連通している。屋外側円筒部８と屋内側円筒部９との接続箇所には図示しないが気密テープが巻かれており、スリーブ孔２内に水密・気密性を保っている。屋内側円筒部９は塩ビ管であり、外壁の厚さに応じて切断して形成される。内壁管１０は、屋内側円筒部９の屋内側端部に挿入される円筒形状であり、屋内側の端部にフランジが設けられて、内装材４に固定される。
【００２８】
２次防水部６は、図２及び図３に示すように、軟質合成ゴムの発泡体を成形した略円柱形状の本体部１３と、本体部１３の屋外側に設けられて１次防水蓋５の屋内側面に当接する当接部１４と、本体部１３の屋内側に設けられるつかみ部１５とを有する。本体部１３は、スリーブ孔２の内径、特に屋外側円筒部８の内径よりも大径であり、周回り方向の全周に突条環１６が複数設けられている。本体部１３に形成された複数の突条環１６は、屋外側の突条環１６の径αが屋内側の突条環１６の径βに比べて小さく形成されている。
【００２９】
当接部１４は、本体部１３の屋外側の端部から半球状に突出して本体部１３と一体形成されている。屋外側円筒部８の軸方向の長さは、当接部１４から本体部１３までの軸方向の長さよりも長く形成されている。つかみ部１５は、本体部１３の屋内側に当該本体部１３と同軸で、且つ本体部１３よりも小径の略円柱形状に形成されている。
【００３０】
外壁にスリーブ孔２が設けられた建物において、エアコン等の空調設備を設置しない場合には、スリーブ孔２の屋外側の端部には１次防水蓋５が固定されて、当該スリーブ孔２を塞いでいる。そして、更なる防水が必要な場合には、図４に示すように、まず屋内蓋７を取り外して、スリーブ孔２の屋内側の端部を開口させた後で、スリーブ孔２の屋内側の端部から２次防水部６を挿入する。２次防水部６は、本体部１３の突条環１６がスリーブ孔２の内周面に圧接した状態で、スリーブ孔２の内周面の形状に応じて突条環１６が縮径されつつ、スリーブ孔２内に挿入される。このとき、図３に示すように、屋外側の突条環１６の径αが屋内側の突条環１６の径βに比べて小さく形成されているので、スリーブ孔２に２次防水部６をより簡単に挿入できる。
【００３１】
２次防水部６には、本体部１３と同軸、且つ本体部１３よりも小径の略円柱形状のつかみ部１５が設けられているので、図５に示すように、つかみ部１５を例えばトング１７で保持して、スリーブ孔２の中心軸にに当該つかみ部１５が重なるように保持しながら、スリーブ孔２に２次防水部６を挿入することで、２次防水部６を正しい姿勢に保った状態でスリーブ孔２に挿入することができる。したがって、本体部１３の突条環１６がスリーブ孔２の内周面に確実に圧接することができ、より確実に設計どおりの防水性能を発揮することができる。
【００３２】
そして、図６に示すように、２次防水部６の当接部１４が１次防水蓋５に当接する位置にまで、２次防水部６を押し込んで、スリーブ孔防水構造１を完成させる。２次防水部６の当接部１４から本体部１３までの軸方向の長さδは屋外側円筒部８の軸方向の長さγよりも短いので、当接部１４が１次防水蓋５に当接する位置に２次防水部６を押し込むと、２次防水部６の本体部１３は、屋外側円筒部８の中に押し込まれることになり、本体部１３の突条環１６は屋外側円筒部８の内周面に圧接されることとなるので、屋外側円筒部８の屋内側に水が浸入することを確実に防止できる。これによって、屋外側円筒部８と屋内側円筒部９との間の継ぎ目に水が浸入することがないので、当該継ぎ目から外壁内部へ水が浸入することを確実に防止できる。
【００３３】
なお、本発明の実施の形態は上述の形態に限ることなく、本発明の思想の範囲を逸脱しない範囲で適宜変更することができることは云うまでもない。
【産業上の利用可能性】
【００３４】
本発明に係るスリーブ孔防水構造１は、例えば空調設備の室内機と室外機とをつなぐ配管用のスリーブ孔２の防水構造として好適に適用することができる。
【符号の説明】
【００３５】
１      スリーブ孔防水構造
２      スリーブ孔
５      １次防水蓋
６      ２次防水部
８      屋外側円筒部
９      屋内側円筒部
１３    本体部
１４    当接部
１５    つかみ部
１６    突条環
【図１】
2017211044.tif 000003
【図２】
2017211044.tif 000004
【図３】
2017211044.tif 000005
【図４】
2017211044.tif 000006
【図５】
2017211044.tif 000007
【図６】
2017211044.tif 000008